(57)【要約】【課題】拭き取りシートとして使用可能であり、包装の際に粘着剤が不要であり、且つ、包装された吸収性物品を湿気から防護可能な吸収性製品を提供する。【解決手段】トップシート１とバックシート２との間に吸収体３が介在された吸収性物品本体１００を個包装材３０で包み、個包装材３０の封止部分３０ｂを相互に接合することで個包装した吸収性製品であって、個包装材３０は、吸湿材１０〜９０重量％及び熱可塑性繊維１０〜９０重量％を含む単層の不織布から成るか、又は、少なくとも最内面の層を、吸湿材１０〜９０重量％及び熱可塑性繊維１０〜９０重量％を含む不織布層とされた複数層のシートから成るものであり、個包装材３０の封止部分３０ｂの接合を、熱可塑性繊維を溶着させることによって行った吸収性製品とする。【選択図】図３
2010279606.tif 000002
【特許請求の範囲】
【請求項１】
トップシートとバックシートとの間に吸収体が介在された吸収性物品本体を個包装材で包み、個包装材の封止部分を相互に接合することで個包装した吸収性製品であって、
個包装材は、吸湿材１０〜９０重量％及び熱可塑性繊維１０〜９０重量％を含む単層の不織布から成るか、又は、少なくとも最内面の層を、吸湿材１０〜９０重量％及び熱可塑性繊維１０〜９０重量％を含む不織布層とされた複数層のシートから成るものであり、
個包装材の封止部分の接合を、熱可塑性繊維を溶着させることによって行った、ことを特徴とする吸収性製品。
【請求項２】
個包装材の不織布層における外面側よりも内面側の方が吸湿材を多く含んでいる、請求項１に記載の吸収性製品。
【請求項３】
個包装材の外面には撥水材が含まれており、個包装材における外面側よりも内面側の方が吸水度が高い、請求項１又は請求項２に記載の吸収性製品。
【請求項４】
個包装材が複数層のシートから成り、最外面の層が不透湿性フィルムである、請求項１〜請求項３のいずれか１項に記載の吸収性製品。
【請求項５】
吸収性物品本体にはズレ止め粘着部が設けられており、ズレ止め粘着部は離型シートで覆われており、
個包装材と離型シートとは、接着剤によって相互に接着されており、この接着剤は、個包装材と離型シートとを分離した際に、個包装材に付着しない、請求項１〜請求項４のいずれか１項に記載の吸収性製品。
【請求項６】
トップシートと、トップシートの裏面側に配置されたバックシートとの間に吸収体が介在され、ズレ止め粘着部を有する吸収性物品本体と、
ズレ止め粘着部を離型シートと、
吸収性物品本体と離型シートとを一体的に個包装する個包装材とを備えており、
離型シートにおけるズレ止め粘着部側の部分には離型処理が施されており、且つ、離型シートにおける少なくともズレ止め粘着部側の反対側の部分には、吸湿材が含まれている、ことを特徴とする吸収性製品。
【請求項７】
吸湿材が綿繊維である、請求項１〜請求項６のいずれか１項に記載の吸収性製品。
【発明の詳細な説明】
【技術分野】
【０００１】
本発明は、生理用ナプキン、パンティライナー、失禁用パッドなどの吸収性製品に関する。
【背景技術】
【０００２】
近年、手軽に携帯できるという理由で、生理用ナプキン、パンティライナー、失禁用パッドなどの一部の吸収性物品本体を個包装して成る吸収性製品が一般的となっている。吸収性物品本体を個包装する個包装材の例として、フィルム製の個包装材や、不織布製の個包装材や、フィルムと不織布とを重ね合わせることで構成された個包装材などが過去に提案されている。その中でも特に、不織布製の個包装材は、吸収性物品本体から分離した後に、肌に付着した排泄物を拭き取ることのできる拭き取りシートとして利用できるという利点を有しており、資源節約の観点から近年ニーズが高まっている。
【先行技術文献】
【特許文献】
【０００３】
【特許文献１】特開平５−１０３８１４号公報
【特許文献２】特開平７−８８１２９号公報
【特許文献３】特開２００２−６４５号公報
【特許文献４】特表２００４−５３１３３６号公報
【特許文献５】特開２００４−１００８２号公報
【発明の概要】
【発明が解決しようとする課題】
【０００４】
しかしながら、一般的な合成繊維から成る不織布で構成された個包装材では、外部の湿気が繊維間を通過して内部に到達してしまい、吸収性物品本体の性能が低下してしまうという問題があった。
【０００５】
これに対して、上記特許文献５に示されるような、不織布にフィルムが積層された個包装材が提案されている。このような個包装材では、外部の湿気が繊維間を通過して内部に到達してしまうことがない。しかし、不織布にフィルムが積層された個包装材は、外部の湿気が内部に入り込まないものの、吸収性物品本体をフィルムで包んでいるため、包装内部こもってしまった湿気によって、吸収性物品本体の性能が低下してしまうという問題があった。
【０００６】
そこで、本発明の主たる課題は、拭き取りシートとして使用可能であり、包装の際に粘着剤が不要であり、且つ、包装された吸収性物品を湿気から防護可能な吸収性製品を提供することにある。
【課題を解決するための手段】
【０００７】
次に、上記課題を解決するための手段とそれらの作用効果を示す。
〔請求項１に係る発明〕
トップシートとバックシートとの間に吸収体が介在された吸収性物品本体を個包装材で包み、個包装材の封止部分を相互に接合することで個包装した吸収性製品であって、
個包装材は、吸湿材１０〜９０重量％及び熱可塑性繊維１０〜９０重量％を含む単層の不織布から成るか、又は、少なくとも最内面の層を、吸湿材１０〜９０重量％及び熱可塑性繊維１０〜９０重量％を含む不織布層とされた複数層のシートから成るものであり、
個包装材の封止部分の接合を、熱可塑性繊維を溶着させることによって行った、ことを特徴とする吸収性製品。
【０００８】
（作用効果）
本請求項に係る発明では、個包装材が、吸湿材１０〜９０重量％を含む単層の不織布、又は、少なくとも最内面の層を、吸湿材１０〜９０重量％を含む不織布とされた複数層構造とされているため、繊維間を通過する外部の湿気を吸湿材で吸湿することが可能となっており、吸収性物品本体に湿気が到達してしまうことがない。そのため、本請求項に係る発明は、湿気によって吸収性物品本体の性能が低下してしまうことを防止することができるようになっている。
【０００９】
また、本請求項に係る発明は、個包装材である不織布が吸湿材１０〜９０重量％を含み、且つ、熱可塑性繊維１０〜９０重量％を含んでおり、拭き取りシートとして利用する際に、水分を吸湿材で吸収し、固形の汚れを合成繊維で絡め取ることができるようになっている。このため、吸収性物品本体を個包装材から取出した後には、個包装材を拭き取りシートとしても好適に使用することができる。
【００１０】
さらに、本請求項に係る発明では、熱可塑性繊維１０〜９０重量％を含む単層の不織布、又は、少なくとも最内面の層を、熱可塑性繊維１０〜９０重量％を含む不織布とされた複数層構造とされているため、熱融着が可能となっている。このため、吸湿機能を備え、且つ、拭き取りシートとして使用可能であると共に、包装の際に粘着剤を使用する必要がない。
【００１１】
〔請求項２に係る発明〕
個包装材の不織布層における外面側よりも内面側の方が吸湿材を多く含んでいる、請求項１に記載の吸収性製品。
【００１２】
（作用効果）
本請求項に係る発明では、不織布における外面側よりも内面側の方が吸湿材を多く含んでいるため、外面側よりも内面側の方が吸水度が高くなる。このように、外面側と内面側で吸水度に差があることによって、不織布を拭き取りシートとして利用する際に、内面側に付着した汚れを含む水分が外面側に浸透しにくくなるため、内面側を拭き取り面として使用した場合に手が汚れにくくなる。
【００１３】
〔請求項３に係る発明〕
個包装材の外面には撥水材が含まれており、個包装材における外面側よりも内面側の方が吸水度が高い、請求項１又は請求項２に記載の吸収性製品。
【００１４】
（作用効果）
本請求項に係る発明では、個包装材の外面に撥水剤が含まれているため、外部の湿気が個包装材を通過して内部に到達しにくい。また、個包装材の外面に撥水材が含まれており、個包装材における外面側よりも内面側の方が吸水度が高くなっているため、個包装材を拭き取りシートとして利用する際に、内面側に付着した汚れを含む水分が外面側に浸透しにくくなるため、内面側を拭き取り面として使用した場合に手が汚れにくくなる。
【００１５】
〔請求項４に係る発明〕
個包装材が複数層のシートから成り、最外面の層が不透湿性フィルムである、請求項１〜請求項３のいずれか１項に記載の吸収性製品。
【００１６】
（作用効果）
本請求項に係る発明では、個包装材の最外面に不透湿性フィルムが設けられているため、外部の湿気が内部に到達することがない。また、拭き取りシートとして利用する際に、最内面の不織布で構成された層に付着した汚れが不透湿性フィルムによって隔絶されるため、拭き取り時に手が汚れない。
【００１７】
〔請求項５に係る発明〕
吸収性物品本体にはズレ止め粘着部が設けられており、ズレ止め粘着部は離型シートで覆われており、
個包装材と離型シートとは、接着剤によって相互に接着されており、この接着剤は、個包装材と離型シートとを分離した際に、個包装材に付着しない、請求項１〜請求項４のいずれか１項に記載の吸収性製品。
【００１８】
（作用効果）
本請求項に係る発明では、吸収性物品本体にはズレ止め粘着部が設けられており、ズレ止め粘着部は離型シートで覆われており、且つ、個包装材と離型シートとは、接着剤によって相互に接着されている。このため、包装状態で吸収性物品本体が個包装材内部で動き回ってしまい、形がくずれてしまうことがない。そして、個包装材と離型シートとを接着する接着剤は、個包装材と離型シートとを分離した際に、個包装材に付着しないため、個包装材を拭き取りシートと使用する際に、個包装材が接着剤によってべたつくことがなく、拭き取りシートとしての使用を妨げることがない。
【００１９】
〔請求項６に係る発明〕
トップシートと、トップシートの裏面側に配置されたバックシートとの間に吸収体が介在され、ズレ止め粘着部を有する吸収性物品本体と、
ズレ止め粘着部を離型シートと、
吸収性物品本体と離型シートとを一体的に個包装する個包装材とを備えており、
離型シートにおけるズレ止め粘着部側の部分には離型処理が施されており、且つ、離型シートにおける少なくともズレ止め粘着部側の反対側の部分には、吸湿材が含まれている、ことを特徴とする吸収性製品。
【００２０】
（作用効果）
本請求項に係る発明では、離型シートにおけるズレ止め粘着部側の部分には離型処理が施されており、且つ、離型シートにおけるズレ止め粘着部側の反対側の部分には、吸湿材１０〜９０重量％が含まれているため、離型シートによって吸湿を行うことができる。そして、吸収性物品本体と離型シートとは、個包装材によって一体的に個包装されているため、個包装内部の湿気を離型シートで吸湿し、湿気が吸収性物品本体に到達しにくくなっている。よって、本請求項に係る発明によれば、吸収性物品本体の性能が湿気によって低下してしまうことを防止することができるようになっている。
【００２１】
〔請求項７に係る発明〕
吸湿材が綿繊維である、請求項１〜請求項６のいずれか１項に記載の吸収性製品。
【００２２】
（作用効果）
柔軟性、保水性が高く、また低コストで調達できるという理由から、本請求項に係る発明のごとく、吸湿材は綿繊維であることが好ましい。
【発明の効果】
【００２３】
以上のように、本発明によれば、拭き取りシートとして使用可能であり、包装の際に粘着剤が不要であり、且つ、包装された吸収性物品を湿気から防護可能な吸収性製品を提供することができる。
【図面の簡単な説明】
【００２４】
【図１】本発明に係る吸収性製品の吸収性物品本体の一例である生理用ナプキンの一部を破断した状態を示す平面図であり、生理用ナプキンの使用面側から見た図である。
【図２】図１のＡ−Ａ矢視に対応する断面図である。
【図３】本発明に係る吸収性製品の展開状態を示す平面図であり、生理用ナプキンの使用面側から見た図である。
【図４】図３のＢ−Ｂ矢視に対応する断面図である。
【図５】図３のＣ−Ｃ矢視に対応する断面図である。
【図６】本発明に係る吸収性製品の斜視図である。
【発明を実施するための形態】
【００２５】
〔第１実施形態〕
次に、本発明に係る吸収性製品の第１実施形態を、添付図面を参照しつつ説明する。なお、図中の矢印Ｘは幅方向を、矢印Ｙは前後方向をそれぞれ示しているが、これらの方向に関する記載は、説明の便宜上用いたものに過ぎない。
【００２６】
〔生理用ナプキン１００〕
まずは、本発明に係る吸収性製品の吸収性物品本体の一例を、図１及び図２を参照しつつ説明する。図１は、吸収性物品本体である生理用ナプキン１００を使用面側（使用時に装着者と対向する面側）から見た一部破断展開図である。図１に示される生理用ナプキン１００は、展開状態においてほぼ小判状の本体部Ｂから、ウィング状の張り出し部Ｗ，Ｗがそれぞれ側方に張り出す形状を成している。
【００２７】
図１に示すように、生理用ナプキン１００は、肌に当たる面としての使用面側に体液透過性のトップシート１と体液不透過性のバックシート２との間に吸収体３が介在されることで形成されている。吸収体３は、トップシート１とバックシート２とで覆うようにして挟み込こまれており、トップシート１及びバックシート２における吸収体３の周囲部は、熱シールなどによってシールされている。張り出し部Ｗ，Ｗはトップシート１とバックシート２とが吸収体３の長手方向のほぼ中央部から両側に張り出すように延在して形成されている。
【００２８】
トップシート１は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記トップシート１に多数の透孔を形成した場合には、経血やおりもの等（以下、まとめて体液という。）が速やかに吸収されるようになり、ドライタッチ性に優れたものとなる。
【００２９】
バックシート２としては、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。バックシート２の非使用面側（外面）には単数または複数条の粘着剤層（図示せず）が形成され、身体への装着時に生理用ナプキン１００を下着に固定するようになっている。バックシート２としては、プラスチックフィルムと不織布とを積層させたポリラミ不織布を用いてもよい。
【００３０】
吸収体３は、経血等の体液を吸収する性質を有し、例えば、コットン、積繊パルプ、又は高吸収性ポリマー、或いはこれらを適宜混合したもので構成され、通常はフラッフ状パルプ中に吸水性ポリマー粉末を混入したものが吸収機能および価格の点から好適に使用される。この吸収体３としては、例えば、クレープ紙やティシュペーパー等からなる被覆シートで額巻きされ、ある程度の硬性を有するコア状とされたものなども好適に使用することができる。
【００３１】
図１に示すように、バックシート２の表面（生理用ナプキン１００の使用面とは逆側の面）における幅方向中央には、ズレ止め粘着部である第１ズレ止め粘着部１０が、前後方向に沿って設けられている。また、バックシート２の表面（生理用ナプキン１００の使用面とは逆側の面）における張り出し部Ｗ，Ｗには、ズレ止め粘着部である一対の第２ズレ止め粘着部２０が、設けられている。これらの第１ズレ止め粘着部１０及び第２ズレ止め粘着部２０は、ホットメルト接着剤や感圧粘着剤などの粘着剤をバックシート２の表面に塗布することで形成されており、下着などの繊維製品に対して接着性を有している。
【００３２】
〔離型シート〕
本実施形態に係る吸収性製品では、図３〜図６に示すように、上述した生理用ナプキン１００は、矩形状の不織布から成る個包装材３０によって個包装される。生理用ナプキン１００が個包装材３０によって個包装される際に、第１ズレ止め粘着部１０は、矩形状に形成された第１離型シート１２（離型シート）によってその全体が被覆されている。また、第１離型シート１２における第１ズレ止め粘着部１０を覆う面とは反対の面には、第１固定部１３が、第１ズレ止め粘着部１０とほぼ重複するように設けられている。
【００３３】
この一方、図３及び図４に示すように、生理用ナプキン１００が個包装材３０によって個包装される際に、第２ズレ止め粘着部２０は、矩形状に形成された第２離型シート２２（離型シート）によってその全体が被覆されている。この時、張り出し部Ｗ，Ｗは、その基端縁で使用面側に折り返されている。その結果、第２ズレ止め粘着部２０は、使用面側に露出する形となっており、第２離型シート２２は、生理用ナプキン１００の使用面側に設置される形となっている。また、第２離型シート２２における第２ズレ止め粘着部２０を覆う面と反対の面には、第２固定部２３が設けられている。この第２固定部２３は、後述するように、個包装材３０の部分Ａ３を部分Ａ２側に折り曲げた際に、部分Ａ４とのみ重なるよう配置されている。
【００３４】
第１離型シート１２及び第２離型シート２２は、綿繊維を含有するスパンレース不織布で構成される。第１離型シート１２及び第２離型シート２２を構成する不織布は、綿繊維単独で使用することもできるが、毛羽立ちが生じやすいため、合成繊維と混合して使用することが好ましい。不織布を形成する繊維の混合割合は、吸湿材である綿繊維が１０〜９０重量％、合成繊維が１０〜９０重量％であり、より好適には、綿繊維を２０〜８０重量％、合成繊維を２０〜８０重量％とする。最適な条件として、綿繊維約５０重量％、合成繊維約５０重量％を混合して形成した不織布を好ましく使用できる。
【００３５】
第１離型シート１２及び第２離型シート２２の厚みは０．０１〜０．３ｍｍ、好適には０．０２〜０．１５ｍｍ、繊維目付けは１０〜１００ｇ／ｍ2、より好適には２０〜８０ｇ／ｍ2とする。繊維目付けが１０ｇ／ｍ2未満であると排泄液の隠蔽性に劣るようになり、１００ｇ／ｍ2を超えると排泄液を保持し易くなるという問題がある。
【００３６】
第１離型シート１２及び第２離型シート２２を構成する綿繊維としては、木綿の原綿、精練・漂白した綿繊維あるいは精練・漂白後、染色を施した綿繊維、さらには糸もしくは布帛になったものを解繊した反毛等、あらゆる綿繊維を使用できるが、特に精練・漂白した脱脂綿繊維が好ましい。
【００３７】
第１離型シート１２及び第２離型シート２２を構成する合成繊維としては、ポリエチレンまたはポリプロピレン等のオレフィン系、ポリエステル系、ポリアミド系等、もしくはその複合繊維、共重合体、ブレンド体を使用することができる。使用される繊維の繊維長は、長繊維、短繊維、あるいはこれらを混合したもののうち、いずれを使用してもよい。繊度は、１．５〜２０ｄｔｅｘが好ましい。
【００３８】
第１離型シート１２における第１ズレ止め粘着部１０を覆う面、及び、第２離型シート２２における第２ズレ止め粘着部２０を覆う面には、離型処理が施されている。この離型処理は、例えば、シリコーン系樹脂、フッ素樹脂、又は四フッ化エチレン系樹脂などの離型処理液を塗工するかスプレー塗布することによって行うことができる。なお、特別に離型処理をしなくても、第１離型シート１２及び第２離型シート２２が、実質的に粘着力の低下を招かないものであれば、離型処理を施さなくても良い。
【００３９】
第１固定部１３及び第２固定部２３は、接着剤を塗布することで形成されている。第１固定部１３及び第２固定部２３は、不織布製造中にバインダーの量を抑える等、表面強度を下げる工夫が施されており、このことによって、第１離型シート１２及び第２離型シート２２を個包装材３０から剥がした際に、第１固定部１３及び第２固定部２３を形成する接着剤が、第１固定部１３及び第２固定部２３に付着して、個包装材３０側に残らないようになっている。
【００４０】
第１固定部１３及び第２固定部２３を形成する接着剤としては、例えば、スチレン系ポリマー、粘着付与剤、可塑剤のいずれかが主成分であるものが好適に使用される。スチレン系ポリマーとしては、スチレン−エチレン−ブチレン−スチレンブロック共重合体、スチレン−ブチレン−スチレンブロック共重合体、スチレン−イソブチレン−スチレン共重合体などが挙げられるが、これらのうち１種類のみを使用しても、２種類以上のポリマーブレンドであっても良い。これら中でも熱安定性が良好であるため、スチレン−エチレン−ブチレン−スチレンブロック共重合体が好ましい。また、粘着付与剤及び可塑剤としては、常温で固体のものを好ましく用いることができ、粘着付与剤としては例えば、Ｃ５系石油樹脂、Ｃ９系石油樹脂、ジシクロペンタジエン系石油樹脂、ロジン系石油樹脂、ポリテルペン樹脂、テルペンフェノール樹脂などが挙げられ、可塑剤としては例えば、リン酸トリフレシル、フタル酸ジブチル、フタル酸ジオクチルなどのモノマー可塑剤の他、ビニル重合体やポリエステルのようなポリマー可塑剤が挙げられる。
【００４１】
〔個包装材３０〕
個包装材３０は、綿繊維を含有するスパンレース不織布で構成される。個包装材３０を構成する不織布は、綿繊維単独で使用することもできるが、毛羽立ちが生じやすいため、熱可塑性繊維と混合して使用することが好ましい。不織布を形成する繊維の混合割合は、吸湿材である綿繊維が１０〜９０重量％、熱可塑性繊維が１０〜９０重量％であり、より好適には、綿繊維を２０〜８０重量％、熱可塑性繊維を２０〜８０重量％とする。最適な条件として、綿繊維約５０重量％、熱可塑性繊維約５０重量％を混合して形成した不織布を好ましく使用できる。
【００４２】
個包装材３０の厚みは０．０１〜０．３ｍｍ、好適には０．０２〜０．１５ｍｍ、繊維目付けは１０〜１００ｇ／ｍ2、より好適には１２〜８０ｇ／ｍ2とする。繊維目付けが１０ｇ／ｍ2未満であると排泄液の隠蔽性に劣るようになり、１００ｇ／ｍ2を超えると排泄液を保持し易くなるという問題がある。
【００４３】
個包装材３０を構成する綿繊維としては、木綿の原綿、精練・漂白した綿繊維あるいは精練・漂白後、染色を施した綿繊維、さらには糸もしくは布帛になったものを解繊した反毛等、あらゆる綿繊維を使用できるが、特に精練・漂白した脱脂綿繊維が好ましい。
【００４４】
個包装材３０を構成する熱可塑性繊維としては、ポリエチレンまたはポリプロピレン等のオレフィン系、ポリエステル系、ポリアミド系等、もしくはその複合繊維、共重合体、ブレンド体を使用することができる。使用される繊維の繊維長は、長繊維、短繊維、あるいはこれらを混合したもののうち、いずれを使用してもよい。繊度は、１．５〜２０ｄｔｅｘが好ましい。
【００４５】
個包装材３０には撥水剤が外添塗布されている。撥水剤としては、パラフィン系、シリコン系等の既知のもののうち、肌への刺激性の少ないものを適宜選択して使用することができるが、天然ステアリン酸化合物等の刺激性の少ないものを適宜選択して使用することがより好ましい。生理用ナプキンにおいて天然ステアリン酸化合物を含む撥水剤を用いる場合、その塗布量は、繊維１００重量部に対して、０．０１〜５．０重量部とするのが好ましい（両面塗布の場合は両面の塗布量合計）。より好ましい塗布量は約０．０５〜３．０重量部である。撥水剤塗布量は、０．０１重量部未満であると撥水効果が不足することがあり、５．０重量部を超えると撥水性が高すぎ、かえって水分を透過しづらくなる。
【００４６】
撥水剤は、個包装材３０の外面（生理用ナプキン１００に面しない側の面、以下同意）に塗布され、外面の吸水度（ＪＩＳ  Ｌ  １９０７  バイレック法）は、０〜１０、好適には０〜５となるようにする。撥水剤は、個包装材３０の内面（生理用ナプキン１００に面する側の面、以下同意）に塗布することもできるが、この場合、個包装材３０における外面側の吸水度よりも内面側の吸水度の方が高くなっていることが好ましい。具体的には、個包装材３０における外面側の吸水度が上記値である場合、内面側の吸水度は、外面側の吸水度よりも１〜３０高いことが好ましい。
【００４７】
個包装材３０には、エンボス加工が施されている。個包装材３０に付与されるエンボスの形状としては、特に限定されず、ピン形状エンボス、ディンプル形状エンボス、多角形エンボスなどを挙げることができる。個包装材３０に付与されるエンボスは、エンボス付与前の個包装材３０の表面積に対して、エンボス付与後の個包装材３０の表面積が１１０〜２００％となる程度に付与することが好ましい。このように個包装材３０にエンボスが付与されていることによって、個包装材３０を拭き取りシートとして使用する際の拭き取り効果が向上する。
【００４８】
図３に示すように、個包装材３０は、展開状態において生理用ナプキン１００の使用面側が露出するようにして配置されており、且つ、生理用ナプキン１００全体を覆うことができるよう、生理用ナプキン１００よりも大きく形成されている。また、個包装材３０の前後方向長さは、生理用ナプキン１００の前後方向長さよりも１．２〜１．４倍長くなっており、これによって前後方向一端側の部分を折り返して部分Ａ４を形成し、生理用ナプキン１００の前後方向一端側を覆うようになっている。そして、個包装材３０の部分Ａ４における幅方向両側縁とその近傍には接着部分３０ａが配置されており、これらの接着部分３０ａは、ヒートシールや超音波接着などの接着手法によって接着されている。なお、部分Ａ４に
【００４９】
図３に示すように、部分Ａ４が形成された個包装材３０は、前後方向に沿って３つの部分１、部分Ａ２、部分Ａ３に分けられ、図６に示すように、展開状態から部分Ａ３を部分Ａ２における個包装材３０の内面側に向かって折り込んだ後に、部分Ａ１を部分Ａ２における個包装材３０の内面側に向かって折り込み、続いて個包装材３０の幅方向両側縁とその近傍の封止部分３０ｂを接着することで生理用ナプキン１００が包装されるようになっている。この時、封止部分３０ｂの接着は、ヒートシールや超音波接着などの接着手法によって接着される。なお、部分Ａ２の前後方向長さは、部分Ａ３の前後方向長さよりも生理用ナプキン１００の厚さ程度長くなっており、部分Ａ１の前後方向長さは部分Ａ２の前後方向長さよりも生理用ナプキン１００の厚さ程度短くなっている。
【００５０】
図３及び図６に示すように、個包装材３０の前後方向他端部（部分Ａ４が存在する端部とは逆側の端部、以下同意）における幅方向中央には、止着テープ６０が個包装材３０の前後方向他端に突出するように設けられている。この止着テープ６０は、個包装材３０の外面に接着されており、個包装材３０から突出した部分における個包装材３０の内面側に粘着剤層６０ａが設けられている。また、止着テープ６０の先端部は折り返されて摘み部とされている。図６に示すように、この止着テープ６０は、個包装材３０で生理用ナプキン１００を包装した際に、粘着剤層６０ａで個包装材３０の外面に接着される。このように止着テープ６０が設けられていることによって、個包装材３０から生理用ナプキン１００を取出す際に、止着テープ６０の摘み部を摘んで引っ張ることにより、個包装材３０の開封が容易となる。
【００５１】
（作用効果）
次に、本実施形態に係る吸収性製品の作用効果を説明する。
本実施形態に係る吸収性製品では、個包装材３０が、綿繊維１０〜９０重量％を含む単層の不織布とされているため、繊維間を通過する外部の湿気を綿繊維で吸湿することが可能となっており、生理用ナプキン１００に湿気が到達してしまうことがない。そのため、本実施形態に係る吸収性製品は、湿気によって生理用ナプキン１００の性能が低下してしまうことを防止することができるようになっている。
【００５２】
本実施形態に係る吸収性製品は、個包装材３０である不織布が綿繊維１０〜９０重量％を含み、且つ、熱可塑性繊維１０〜９０重量％を含んでおり、個包装材３０を拭き取りシートとして利用する際に、水分を綿繊維で吸収し、固形の汚れを合成繊維で絡め取ることができるようになっている。このため、生理用ナプキン１００を個包装材３０から取出した後には、個包装材３０を拭き取りシートとしても好適に使用することができる。
【００５３】
本実施形態に係る吸収性製品では、個包装材３０を構成する不織布が熱可塑性繊維１０〜９０重量％を含んでいるため、熱融着が可能となっている。このため、吸湿機能を備え、且つ、拭き取りシートとして使用可能であると共に、包装の際に粘着剤を使用する必要がない。
【００５４】
本実施形態に係る吸収性製品では、個包装材３０の外面に撥水剤が含まれているため、外部の湿気が個包装材３０を通過して内部に到達しにくい。また、個包装材３０の外面に撥水材が含まれており、個包装材３０における外面側よりも内面側の方が吸水度が高くなっているため、個包装材３０を拭き取りシートとして利用する際に、内面側に付着した汚れを含む水分が外面側に浸透しにくくなるため、内面側を拭き取り面として使用した場合に手が汚れにくくなる。
【００５５】
本実施形態に係る吸収性製品では、生理用ナプキン１００には第１ズレ止め粘着部１０と第２ズレ止め粘着部２０とが設けられており、第１ズレ止め粘着部１０と第２ズレ止め粘着部２０とはそれぞれ離型シート（第１離型シート、第２離型シート）で覆われており、且つ、個包装材３０と離型シート（第１離型シート、第２離型シート）とは、固定部（第１固定部１３、第２固定部２３）を形成する接着剤によって相互に接着されている。このため、包装状態で生理用ナプキン１００が個包装材３０内部で動き回ってしまい、形がくずれてしまうことがない。また、個包装材３０と離型シート（第１離型シート、第２離型シート）とが接着されているため、個包装材３０を生理用ナプキン１００から取り外す際に、個包装材３０と共に離型シート（第１離型シート、第２離型シート）が生理用ナプキン１００から外れるため、ワンタッチで生理用ナプキン１００を使用状態とすることができる。
【００５６】
また、固定部（第１固定部１３、第２固定部２３）は、不織布製造中にバインダーの量を抑える等、表面強度を下げる工夫が施されており、このことによって、第１離型シート１２及び第２離型シート２２を個包装材３０から剥がした際に、第１固定部１３及び第２固定部２３を形成する接着剤が、第１固定部１３及び第２固定部２３に付着して、個包装材３０側に残らないようになっている。このため、個包装材３０を拭き取りシートと使用する際に、個包装材３０が固定部（第１固定部１３、第２固定部２３）の接着剤によってべたつくことがなく、拭き取りシートとしての使用を妨げることがない。
【００５７】
本実施形態に係る吸収性製品では、第１離型シート１２及び第２離型シート２２が、綿繊維を含有するスパンレース不織布で構成されているため、包装内部において離型シートによって吸湿を行うことができる。このため、湿気が生理用ナプキン１００に到達しにくくなっており、生理用ナプキン１００の性能が湿気によって低下してしまうことを防止することができるようになっている。
【００５８】
〔その他の実施形態〕
個包装材３０は、複数層のシートから形成することもできる。この場合、最内面の層を綿繊維を含有するスパンレース不織布で構成することが好ましい。また、個包装材３０を複数層のシートから形成する場合、最外面の層を不透湿性フィルムとすることもできる。最外面の層が不透湿性フィルムであると、外部の湿気が内部に到達することがなく、拭き取りシートとして利用する際に、最内面の不織布で構成された層に付着した汚れが不透湿性フィルムによって隔絶されるため、拭き取り時に手が汚れない。不透湿性フィルムとしては、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。この遮水・透湿性シート材としては、ポリエチレンやポリプロピレン等のオレフィン系樹脂中に無機充填剤を溶融混練してシートを成形した後、一軸または二軸方向に延伸することにより得られる。
【００５９】
個包装材３０を単層の不織布から形成する場合、個包装材３０における外面側よりも内面側の方が綿繊維を多く含むよう不織布を形成することも提案される。個包装材３０を形成する不織布が、このように形成されていると、個包装材３０における外面側よりも内面側の方が吸水度が高くなる。そうすると、個包装材３０における外面側と内面側で吸水度に差があることによって、個包装材３０を拭き取りシートとして利用する際に、内面側に付着した汚れを含む水分が外面側に浸透しにくくなるため、内面側を拭き取り面として使用した場合に手が汚れにくくなる。このような不織布は、湿式法でウェブを形成し、高圧水流をあて繊維同士を交絡するスパンレース法によって形成することが可能である。
【００６０】
第１実施形態では、吸湿材の例として綿繊維を例示したが、吸湿材はこれに限らず他のものを使用することもできる。その例として、麻、毛、絹、パルプなどの天然繊維；レーヨン、ポリノジック、キュプラなどの再生繊維；アセテートなどの半合成繊維；及びこれらの変性物や共重合体からなる繊維を用いることができる。しかし、その中でも特に綿繊維は、柔軟性、保水性が高く、また低コストで調達できるため好ましい。
【００６１】
また、第１実施形態では、吸収性物品本体として生理用ナプキンを例示したが、本発明に係る吸収性製品では、吸収性物品本体は、パンティライナー、失禁用パッドなどの他のものと置き換えることができる。
【産業上の利用可能性】
【００６２】
本発明は、生理用ナプキン、パンティライナー、失禁用パッドなどの吸収性製品に適用可能である。
【符号の説明】
【００６３】
１・・・トップシート
２・・・バックシート
３・・・吸収体
１０・・・第１ズレ止め粘着部（ズレ止め粘着部）
１２・・・第１離型シート（離型シート）
２０・・・第２ズレ止め接着部（ズレ止め粘着部）
２２・・・第２離型シート（離型シート）
３０・・・個包装材
３０ｂ・・・封止部分
１００・・・吸収性物品本体
【図１】
2010279606.tif 000003
【図２】
2010279606.tif 000004
【図３】
2010279606.tif 000005
【図４】
2010279606.tif 000006
【図５】
2010279606.tif 000007
【図６】
2010279606.tif 000008